(57)【要約】【課題】  複数の無停電電源装置に接続された各サーバに対するシステム動作の設定変更を行う際に、設定変更のし忘れや誤りを無くすことができ、更に工数が掛からないように設定変更を行うこと。【解決手段】  全サーバ２１〜２３，３１，３２，４１〜４３を通信回線５１で接続し、ＵＰＳ１１〜１３とシリアル通信ケーブル２５，３５，４５で接続された複数台のサーバ２１，３１，４１の中から１台のサーバをマスタサーバ２１、これ以外をスレーブサーバ３１，４１と定める。マスタサーバ２１がＵＰＳの電源異常を検出した際に、シャットダウン命令及びＵＰＳ停止命令を各スレーブサーバ３１，４１へ送信し、各スレーブサーバ３１，４１が同グループのサーバにシャットダウン命令を通知すると共に、ＵＰＳ１２，１３へＵＰＳ停止命令を送信する。【選択図】      図１
2005078174.tif 000002
【特許請求の範囲】
【請求項１】
電源のバックアップを行う複数台の無停電電源装置の各々に、１乃至は複数台のサーバを給電ケーブルで接続すると共に、同一無停電電源装置に複数台接続された同グループのサーバのうち何れか１台と当該無停電電源装置とを通信ケーブルで接続し、この接続されたサーバが接続先の無停電電源装置の電源異常を検出した際に、自サーバのオペーレーティングシステムのシャットダウンを行うと共に、自サーバと同グループの他のサーバへシャットダウン命令を通知する無停電電源装置を用いた通信システムにおいて、
前記サーバの全てを通信回線で接続すると共に、前記無停電電源装置に通信ケーブルで接続されたサーバの内、何れか１台をマスタサーバ、これ以外をスレーブサーバと定め、
前記マスタサーバに、
前記シャットダウン命令をメッセージデータとして記憶する記憶手段と、
前記電源異常の検出時に、前記記憶手段から前記メッセージデータを読み出し、前記通信回線を介して前記スレーブサーバへ送信する第１の送信手段と
を備え、
前記スレーブサーバに、
前記第１の送信手段から送信されたメッセージデータを、前記通信回線を介して受信する受信手段と、
前記受信手段で受信されたメッセージデータのうち前記シャットダウン命令を、当該サーバと同グループの他のサーバへ通知する通知手段と
を備えたことを特徴とする無停電電源装置を用いた通信システム。
【請求項２】
前記マスタサーバにおいて、
前記記憶手段に、前記無停電電源装置に停止を命令する無停電電源装置停止命令をメッセージデータとして更に記憶し、
前記スレーブサーバにおいて、
前記受信手段で受信されたメッセージデータの無停電電源装置停止命令を、前記無停電電源装置へ送信する第２の送信手段と
を更に備えたことを特徴とする請求項１に記載の無停電電源装置を用いた通信システム。
【請求項３】
前記マスタサーバにおいて、
前記記憶手段に、任意の設定時間に前記無停電電源装置を停止・起動するための停止・起動データをメッセージデータとして更に記憶し、
前記スレーブサーバにおいて、
前記第２の送信手段は、前記受信手段で受信されたメッセージデータの停止・起動データを、前記無停電電源装置へ送信する
ことを特徴とする請求項１または２に記載の無停電電源装置を用いた通信システム。
【請求項４】
前記スレーブサーバにおいて、
当該サーバが無停電電源装置に通信可能な状態に接続されているか否かを確認する確認手段を更に備え、
前記第２の送信手段が、前記確認手段で当該サーバが無停電電源装置に通信可能な状態に接続されていると確認された際に、前記受信手段で受信されたメッセージデータの無停電電源装置停止命令及び停止・起動データの何れか一方を、前記無停電電源装置へ送信する
ことを特徴とする請求項２または３に記載の無停電電源装置を用いた通信システム。
【発明の詳細な説明】
【技術分野】
【０００１】
本発明は、停電時などに電源のバックアップを行う無停電電源装置を用いた通信システムに関し、特に、複数の無停電電源装置を用い、各々の無停電電源装置に接続された複数のサーバに電源を供給する無停電電源装置を用いた通信システムに関する。
【背景技術】
【０００２】
図３に、従来の無停電電源装置を用いた通信システムのブロック構成図を示し、その説明を行う。
図３に示す通信システムは、商用電源１に給電ケーブル２を介して接続された３台のＵＰＳ(Uninterruptible Power Supply：無停電電源装置)１１，１２，１３と、ＵＰＳ１１に給電ケーブル２０を介して接続された３台のサーバ２１，２２，２３と、ＵＰＳ１２に給電ケーブル３０を介して接続された２台のサーバ３１，３２と、ＵＰＳ１３に給電ケーブル４０を介して接続された３台のサーバ４１，４２，４３とを備えて構成されている。
【０００３】
但し、各サーバ２１〜２３，３１，３２，４１〜４３は、サーバ機能を有するパーソナルコンピュータや、専用のサーバである。
また、各々のＵＰＳ１１〜１３には、ＲＳ−２３２Ｃ等のシリアル通信ケーブル２５，３５，４５によって１台のサーバ２１，３１，４１が接続され、ＵＰＳ１１とサーバ２１間、ＵＰＳ１２とサーバ３１間、ＵＰＳ１３とサーバ４１間で、各々シリアル通信を行っている。
【０００４】
この通信は、次に説明するマルチサーバシャットダウン機能を動作させるために行われる。この機能は、同一ＵＰＳ（例えば１１）から給電されている同グループの全サーバ２１〜２３の内、シリアル通信を行っているサーバ２１が当該ＵＰＳ１１の電源異常を検出した際に、自サーバ２１のＯＳ(OperatingSystem)のシャットダウンを行うと共に、同グループの他のサーバ２２，２３へＯＳシャットダウン命令を通知することによって、他のサーバ２２，２３も連動してＯＳシャットダウンを行うものである。
【０００５】
なお、ＯＳシャットダウン命令は、同グループ内のサーバを接続する図示せぬ通信ケーブル、又は給電ケーブルを介して通知されるようになっている。
つまり、各ＵＰＳ１１〜１３に給電を行っている商用電源１に何らかの異常が生じた場合は、略同時に全ＵＰＳ１１〜１３で、個別に電源異常が検出され、同グループ毎に全サーバのＯＳシャットダウンが行われる。
この種の従来の無停電電源装置として、例えば特許文献１に記載のものがある。
【特許文献１】特開２０００−７８２２４号公報
【発明の開示】
【発明が解決しようとする課題】
【０００６】
ところで、従来の無停電電源装置を用いた通信システムにおいては、ＵＰＳ１１〜１３毎に通信を行っているサーバ２１，３１，４１において、電源異常検出時点からＯＳシャットダウンを開始する時点までの時間の変更や、ＵＰＳ１１〜１３を所定時刻に停止・起動することにより通信システムを停止・起動するといったスケジュール運転のパターン変更などのシステム動作の設定変更を行う必要がある。
【０００７】
しかし、その設定変更を行う際に、ＵＰＳ１１〜１３と通信を行っているサーバ２１，３１，４１が各々独立しているため、サーバ２１，３１，４１毎に保守者が設定変更を行わなければならず、工数が掛かるという問題がある。
図３では、ＵＰＳ１１〜１３と通信を行っているサーバ２１，３１，４１は３台であるが、実際には多数のサーバが存在するケースがあるので、この場合には、更に工数が掛かることになる。
【０００８】
また、多数のサーバに対して設定変更を行う場合、その中の何れかのサーバに対して設定変更をし忘れたり、設定変更を誤ったりするといった問題も生じる。
本発明は、このような課題に鑑みてなされたものであり、複数の無停電電源装置に接続された各サーバに対するシステム動作の設定変更を行う際に、設定変更のし忘れや誤りを無くすことができ、更に工数が掛からないように設定変更を行うことができる無停電電源装置を用いた通信システムを提供することを目的としている。
【課題を解決するための手段】
【０００９】
上記目的を達成するために、本発明の請求項１による無停電電源装置を用いた通信システムは、電源のバックアップを行う複数台の無停電電源装置の各々に、１乃至は複数台のサーバを給電ケーブルで接続すると共に、同一無停電電源装置に複数台接続された同グループのサーバのうち何れか１台と当該無停電電源装置とを通信ケーブルで接続し、この接続されたサーバが接続先の無停電電源装置の電源異常を検出した際に、自サーバのオペーレーティングシステムのシャットダウンを行うと共に、自サーバと同グループの他のサーバへシャットダウン命令を通知する無停電電源装置を用いた通信システムにおいて、前記サーバの全てを通信回線で接続すると共に、前記無停電電源装置に通信ケーブルで接続されたサーバの内、何れか１台をマスタサーバ、これ以外をスレーブサーバと定め、前記マスタサーバに、前記シャットダウン命令をメッセージデータとして記憶する記憶手段と、前記電源異常の検出時に、前記記憶手段から前記メッセージデータを読み出し、前記通信回線を介して前記スレーブサーバへ送信する第１の送信手段とを備え、前記スレーブサーバに、前記第１の送信手段から送信されたメッセージデータを、前記通信回線を介して受信する受信手段と、前記受信手段で受信されたメッセージデータのうち前記シャットダウン命令を、当該サーバと同グループの他のサーバへ通知する通知手段とを備えたことを特徴としている。
【００１０】
この構成によれば、各無停電電源装置に接続された全てのサーバを通信回線で接続すると共に、無停電電源装置と通信ケーブルで接続された複数台のサーバの中から１台のサーバをマスタサーバ、これ以外をスレーブサーバと定め、このマスタサーバが無停電電源装置の電源異常を検出した際に、シャットダウン命令を各スレーブサーバへ送信し、各スレーブサーバが同グループのサーバにシャットダウン命令を通知するようにした。これによって、１台のマスタサーバで電源異常を検出することによって他のサーバへシャットダウン命令が送信され。これによって全てのサーバでシャットダウンを行うことができる。つまり、１台のサーバにシャットダウンのためのデータをインストールしておけば、このデータを他の全てのサーバへのシャットダウンに係る動作に反映させることができる。
【００１１】
また、本発明の請求項２による無停電電源装置を用いた通信システムは、請求項１において、前記マスタサーバにおいて、前記記憶手段に、前記無停電電源装置に停止を命令する無停電電源装置停止命令をメッセージデータとして更に記憶し、前記スレーブサーバにおいて、前記受信手段で受信されたメッセージデータの無停電電源装置停止命令を、前記無停電電源装置へ送信する第２の送信手段とを更に備えたことを特徴としている。
【００１２】
この構成によれば、１台のマスタサーバで電源異常を検出することによって、他のサーバへ無停電電源装置停止命令が送信され、更に、その命令がサーバから無停電電源装置へ送信されるので、全ての無停電電源装置を停止させることができる。つまり、１台のサーバに無停電電源装置を停止させるためのデータをインストールしておけば、このデータを、他のサーバが行う無停電電源装置の停止動作に反映させることができる。
【００１３】
また、本発明の請求項３による無停電電源装置を用いた通信システムは、請求項１または２に記載の前記マスタサーバにおいて、前記記憶手段に、任意の設定時間に前記無停電電源装置を停止・起動するための停止・起動データをメッセージデータとして更に記憶し、前記スレーブサーバにおいて、前記第２の送信手段は、前記受信手段で受信されたメッセージデータの停止・起動データを、前記無停電電源装置へ送信することを特徴としている。
【００１４】
この構成によれば、１台のマスタサーバに停止・起動データをインストールしておけば、このデータを、他のサーバへ送信し、更に他のサーバから無停電電源装置へ送信することによって、無停電電源装置のスケジュール運転による停止・起動を行うことができる。
また、本発明の請求項４による無停電電源装置を用いた通信システムは、前記スレーブサーバにおいて、当該サーバが無停電電源装置に通信可能な状態に接続されているか否かを確認する確認手段を更に備え、前記第２の送信手段が、前記確認手段で当該サーバが無停電電源装置に通信可能な状態に接続されていると確認された際に、前記受信手段で受信されたメッセージデータの無停電電源装置停止命令及び停止・起動データの何れか一方を、前記無停電電源装置へ送信することを特徴としている。
この構成によれば、無停電電源装置に通信可能状態に接続されたサーバのみが無停電電源装置へ無停電電源装置停止命令又は停止・起動データを送信するので、効率の良い送信を行うことができる。
【発明の効果】
【００１５】
以上説明したように本発明の無停電電源装置を用いた通信システムは、各無停電電源装置に接続された全てのサーバを通信回線で接続すると共に、無停電電源装置と通信ケーブルで接続された複数台のサーバの中から１台のサーバをマスタサーバ、これ以外をスレーブサーバと定め、このマスタサーバが無停電電源装置の電源異常を検出した際に、シャットダウン命令を各スレーブサーバへ送信し、各スレーブサーバが同グループのサーバにシャットダウン命令を通知するようにした。
【００１６】
これによって、１台のマスタサーバで電源異常を検出することによって他のサーバへシャットダウン命令が送信され。これによって全てのサーバでシャットダウンを行うことができる。つまり、１台のサーバにシャットダウンのためのデータをインストールしておけば、このデータを他の全てのサーバへのシャットダウンに係る動作に反映させることができる。
また、１台のマスタサーバで電源異常を検出することによって他のサーバへ無停電電源装置停止命令が送信され、これによって全ての無停電電源装置を停止させることができる。つまり、１台のサーバに無停電電源装置を停止させるためのデータをインストールしておけば、このデータを、他のサーバが行う無停電電源装置の停止動作に反映させることができる。
【００１７】
更に、１台のマスタサーバに停止・起動データをインストールしておけば、このデータを、他のサーバへ送信し、更に他のサーバから無停電電源装置へ送信することによって、無停電電源装置のスケジュール運転による停止・起動を行うようにした。
従って、複数の無停電電源装置に接続された各サーバに対するシステム動作の設定変更を行う際に、設定変更のし忘れや誤りを無くすことができ、更に工数が掛からないように設定変更を行うことができるという効果がある。
【発明を実施するための最良の形態】
【００１８】
以下、本発明の実施の形態を、図面を参照して説明する。
図１は、本発明の実施の形態に係る無停電電源装置を用いた通信システムのブロック構成図である。但し、図１に示す本実施の形態において、図３に示した従来例の各部に対応する部分には同一符号を付し、その説明を省略する。
図１に示す通信システムが、図３に示した従来の通信システムと異なる点は、図示せぬネットワークハブ（中継器）を介してイーサネット（登録商標）などのＬＡＮ(Local Area Network)回線５１で、全てのサーバ２１〜２３，３１，３２，４１〜４３を接続すると共に、図２にサーバ２１で代表して示すように、通信回線５１を接続するためのインターフェース部６１と、電源異常検出部６３と、メッセージ記憶部６４と、メッセージ送信部６５と、メッセージ受信部６７と、ＯＳシャットダウン命令通知部６９と、ＵＰＳ通信接続確認部７１と、ＵＰＳ停止・起動送信部７５と、ＵＰＳインターフェース部７７とを備えて構成されている。
【００１９】
次に、これら構成要素の説明を行う。
電源異常検出部６３は、ＵＰＳ１１〜１３の電源異常を検出するものである。
メッセージ記憶部６４は、サーバのＯＳをシャットダウンするためのＯＳシャットダウン命令及びＵＰＳ停止命令のデータと、各ＵＰＳ１１〜１３をスケジュール運転の設定時刻に停止・起動することにより通信システムを停止・起動するためＵＰＳ停止・起動データとを、メッセージデータとして記憶するものである。
【００２０】
メッセージ送信部６５は、電源異常検出部６３で電源異常が検出された際に、メッセージ記憶部６４からＯＳシャットダウン命令及びＵＰＳ停止命令のメッセージデータを読み出し、また、スケジュール運転によるＵＰＳ１１〜１３の停止時刻となった際に、ＵＰＳ停止・起動及びＯＳシャットダウン命令のメッセージデータを読み出し、これらを、ＬＡＮインターフェース部６１に接続された通信回線５１を介して他のサーバへ送信するものである。
この送信は、ＵＰＳ１１〜１３にシリアル通信ケーブル２５，３５，４５で接続されたサーバ２１，３１，４１の内、何れか１つをマスタサーバ（例えば２１）、他をスレーブサーバ（例えば３１，４１）として設定し、マスタサーバ２１からスレーブサーバ３１，４１に対して行われる。
メッセージ受信部６７は、スレーブサーバ３１，４１においてマスタサーバ２１から送信されてきた各種のメッセージデータを受信するものである。
【００２１】
ＯＳシャットダウン命令通知部６９は、メッセージ受信部６７においてメッセージデータとしてＯＳシャットダウン命令が受信された際に、同一ＵＰＳ（例えば１１）に給電ケーブル２０で接続された同グループの他のサーバ２２，２３へＯＳシャットダウン命令を、ＬＡＮインターフェース部６１からＬＡＮ回線５１を介して通知するものである。
ＵＰＳ通信接続確認部７１は、メッセージ受信部６７でメッセージデータが受信された際に、当該サーバ２１がＵＰＳ１１に通信可能な状態に接続されているか否かを確認するものである。この確認は、例えばＵＰＳ１１に接続されたシリアル通信ケーブル２５が、ＵＰＳインターフェース部７７に接続されているか否かを所定の信号を伝送することによって行われる。
【００２２】
ＵＰＳ停止・起動送信部７５は、ＵＰＳ通信接続確認部７１で当該サーバ２１がＵＰＳ１１に通信可能な状態に接続されていると確認された際に、メッセージ受信部６７で受信されたＵＰＳ停止命令又はＵＰＳ停止・起動データを、ＵＰＳインターフェース部７７からシリアル通信ケーブル３５，４５を介してＵＰＳ１２，１３へ送信するものである。
このＵＰＳ停止・起動送信部７５の動作は、スレーブサーバ３１，４１において行われるものであるが、マスタサーバ２１においては従来と同様な条件においてＵＰＳ停止命令又はＵＰＳ停止・起動データがＵＰＳ１１へ送信されるようになっている。
【００２３】
但し、上述した構成要素のうち、マスタサーバ２１に、ＬＡＮインターフェース部６１及びＵＰＳインターフェース部７７と、電源異常検出部６３と、メッセージ記憶部６４と、メッセージ送信部６５と少なくとも備え、スレーブサーバ３１，４１に、ＬＡＮインターフェース部６１及びＵＰＳインターフェース部７７と、メッセージ受信部６７と、ＯＳシャットダウン命令通知部６９と、ＵＰＳ通信接続確認部７１と、ＵＰＳ停止・起動送信部７５とを少なくとも備えた構成としてもよい。
【００２４】
次に、このような構成の通信システムにおけるＵＰＳ１１〜１３の電源異常検出時の動作を説明する。但し、サーバ２１がマスタサーバ、サーバ３１，４１がスレーブサーバとして設定されているものとする。
まず、マスタサーバ２１の電源異常検出部６３によって、ＵＰＳ１１の電源異常が検出されたとする。これによって、メッセージ送信部６５において、メッセージ記憶部６４からＯＳシャットダウン命令及びＵＰＳ停止命令のメッセージデータが読み出され、これがＬＡＮインターフェース部６１からＬＡＮ回線５１を介してスレーブサーバ３１，４１へ送信される。
【００２５】
また、マスタサーバ２１では、電源異常検出時に従来と同機能によって、ＯＳシャットダウンが実行されると共に、ＵＰＳ停止命令がシリアル通信ケーブル２５を介してＵＰＳ１１へ送信される。この送信されたＵＰＳ停止命令が受信されたＵＰＳ１１では、所定時間後に電源オフとなる。この電源オフによってＵＰＳ１１に給電ケーブル２０で接続された全てのサーバ２１〜２３が電源オフとなる。
【００２６】
一方、スレーブサーバ３１では、ＬＡＮインターフェース部６１を介してメッセージ受信部６７で、マスタサーバ２１からのメッセージデータが受信される。この受信によって、当該サーバ３１では、従来と同機能によってＯＳシャットダウンが実行され、また、ＯＳシャットダウン命令通知部６９によって、ＯＳシャットダウン命令がＬＡＮインターフェース部６１からＬＡＮ回線５１を介して、当該サーバ３１と同グループの他のサーバ３２へ送信される。この送信されたＯＳシャットダウン命令を受けたサーバ３２では、ＯＳシャットダウンが実行される。
【００２７】
また、先の受信によって、ＵＰＳ通信接続確認部７１では、当該サーバ３１がＵＰＳ１１に通信可能な状態に接続されているか否かが確認される。ここで、通信可能な状態に接続されていると確認された場合、ＵＰＳ停止・起動送信部７５によって、先に受信されたＵＰＳ停止命令が、ＵＰＳインターフェース部７７からシリアル通信ケーブル３５を介してＵＰＳ１２へ送信される。この送信されたＵＰＳ停止命令が受信されたＵＰＳ１２では、所定時間後にＵＰＳ１２が電源オフとなる。この電源オフによってＵＰＳ１２に給電ケーブル３０で接続された全てのサーバ３１，３２が電源オフとなる。
【００２８】
また、スレーブサーバ４１においても、スレーブサーバ３１と同様な動作が実行され、最終的にＵＰＳ１３に給電ケーブル４０で接続された全てのサーバ４１〜４３が電源オフとなる。
次に、スケジュール運転による動作を説明する。
まず、ＵＰＳ停止時刻になったとすると、マスタサーバ２１のメッセージ送信部６５において、メッセージ記憶部６４からＵＰＳ停止・起動及びＯＳシャットダウン命令のメッセージデータが読み出され、これがＬＡＮインターフェース部６１からＬＡＮ回線５１を介してスレーブサーバ３１，４１へ送信される。
【００２９】
また、マスタサーバ２１では、ＵＰＳ停止時刻となった際に従来と同機能によって、ＯＳシャットダウンが実行されると共に、ＵＰＳ停止・起動データがシリアル通信ケーブル２５を介してＵＰＳ１１へ送信される。この送信されたＵＰＳ停止・起動データが受信されたＵＰＳ１１では、ＵＰＳ停止・起動データで指示される停止時刻に電源オフとなる。この電源オフによってＵＰＳ１１に給電ケーブル２０で接続された全てのサーバ２１〜２３が電源オフとなる。また、ＵＰＳ停止・起動データで指示される起動時刻となった場合に、ＵＰＳ１１が電源オンとなって全てのサーバ２１〜２３が電源オンとなる。
【００３０】
一方、スレーブサーバ３１では、ＬＡＮインターフェース部６１を介してメッセージ受信部６７で、マスタサーバ２１からのメッセージデータが受信される。この受信によって、当該サーバ３１では、従来と同機能によってＯＳシャットダウンが実行され、また、ＯＳシャットダウン命令通知部６９によって、ＯＳシャットダウン命令がＬＡＮインターフェース部６１からＬＡＮ回線５１を介して、当該サーバ３１と同グループの他のサーバ３２へ送信される。この送信されたＯＳシャットダウン命令を受けたサーバ３２では、ＯＳシャットダウンが実行される。
【００３１】
また、先の受信によって、ＵＰＳ通信接続確認部７１では、当該サーバ３１がＵＰＳ１１に通信可能な状態に接続されているか否かが確認される。ここで、通信可能な状態に接続されていると確認された場合、ＵＰＳ停止・起動送信部７５によって、先に受信されたＵＰＳ停止・起動データが、ＵＰＳインターフェース部７７からシリアル通信ケーブル３５を介してＵＰＳ１２へ送信される。この送信されたＵＰＳ停止・起動データが受信されたＵＰＳ１２では、ＵＰＳ停止・起動データで指示される停止時刻に電源オフとなる。この電源オフによってＵＰＳ１２に給電ケーブル３０で接続された全てのサーバ３１，３２が電源オフとなる。また、ＵＰＳ停止・起動データで指示される起動時刻となった場合に、ＵＰＳ１２が電源オンとなって全てのサーバ３１，３２が電源オンとなる。
【００３２】
また、スレーブサーバ４１においても、スレーブサーバ３１と同様な動作が実行され、ＵＰＳ１３に給電ケーブル４０で接続された全てのサーバ４１〜４３が電源オフとなった後、起動時刻に電源オンとなる。
このように、本実施の形態のＵＰＳを用いた通信システムによれば、全サーバ２１〜２３，３１，３２，４１〜４３を通信回線５１で接続し、ＵＰＳ１１〜１３とシリアル通信ケーブル２５，３５，４５で接続された複数台のサーバ２１，３１，４１の中から１台のサーバをマスタサーバ２１、これ以外をスレーブサーバ３１，４１と定める。
【００３３】
そして、マスタサーバ２１がＵＰＳの電源異常を検出した際に、シャットダウン命令を各スレーブサーバ３１，４１へ送信し、各スレーブサーバ３１，４１が同グループのサーバにシャットダウン命令を通知するようにした。
これによって、１台のマスタサーバ２１で電源異常を検出することによって他のサーバへシャットダウン命令が送信され。これによって全てのサーバでシャットダウンを行うことができる。つまり、１台のサーバにシャットダウンのためのデータをインストールしておけば、このデータを他の全てのサーバへのシャットダウンに係る動作に反映させることができる。
【００３４】
また、１台のマスタサーバ２１で電源異常を検出することによってスレーブサーバ３１，４１へＵＰＳ停止命令が送信され。これによって全てのＵＰＳ１１〜１３を停止させることができる。つまり、１台のサーバ２１にＵＰＳを停止させるためのデータをインストールしておけば、このデータを、他のサーバ３１，４１が行うＵＰＳ１２，１３の停止動作に反映させることができる。
【００３５】
また、１台のマスタサーバ２１に停止・起動データをインストールしておけば、このデータを、スレーブサーバ３１，４１へ送信し、更にスレーブサーバ３１，４１からＵＰＳ１２，１３へ送信することによって、ＵＰＳ１２，１３のスケジュール運転による停止・起動を行うことができる。
従って、これらのことから複数のＵＰＳ１１〜１３に接続された各サーバ２１〜２３，３１，３２，４１〜４３に対するシステム動作の設定変更を行う際に、設定変更のし忘れや誤りを無くすことができ、更に工数が掛からないように設定変更を行うことができる。
【図面の簡単な説明】
【００３６】
【図１】本発明の実施の形態に係る無停電電源装置を用いた通信システムの構成を示す図である。
【図２】上記実施の形態に係る無停電電源装置を用いた通信システムにおけるサーバの構成を示すブロック図である。
【図３】従来の無停電電源装置を用いた通信システムの構成を示す図である。
【符号の説明】
【００３７】
１  商用電源
２，２０，３０，４０  給電ケーブル
１１，１２，１３  ＵＰＳ(無停電電源装置)
２１〜２３，３１，３２，４１〜４３  サーバ
２５，３５，４５  シリアル通信ケーブル
５１  ＬＡＮ回線
６１  ＬＡＮインターフェース部
６３  電源異常検出部
６４  メッセージ記憶部
６５  メッセージ送信部
６７  メッセージ受信部
６９  ＯＳシャットダウン命令通知部
７１  ＵＰＳ通信接続確認部
７５  ＵＰＳ停止・起動送信部
７７  ＵＰＳインターフェース部
【図１】
2005078174.tif 000003
【図２】
2005078174.tif 000004
【図３】
2005078174.tif 000005